(57)【要約】衣服に様々な電子装置を電気的に接続するための機能が提供される。その機能は、様々な異なる電子装置を支持するために適合された摺動トラックを有する。摺動トラックは、少なくとも一つの電子装置と電源との間で選択的な電気通信を可能にする一つ以上の通路を有する。電子装置は、電子装置が摺動トラックに沿って摺動できるようにして摺動トラックによって選択的に支持されるために適合される。機能は、そこに配置された少なくとも一つの伝導要素を有する一つ以上の通路を有する。第一の伝導要素は、理想的な電気的な接触表面を提供する一つ以上の通路と一致するために形状化される。一つ以上の通路は、伝導要素を選択的に包むか又は密封するために適合される。
2005531696.tif 000002
【特許請求の範囲】
【請求項１】
衣服に電子装置を電気的に接続するための機能であって、該機能は、
少なくとも一つの電子装置を支持するために適合された摺動トラックを有し、
前記摺動トラックは、前記少なくとも一つの電子装置と電源との間で選択的な電気通信を可能にする一つ以上の通路を有することを特徴とする機能。
【請求項２】
前記少なくとも一つの電子装置は、前記電子装置が前記摺動トラックに沿って摺動できるように前記摺動トラックによって選択的に支持されるために適合されることを特徴とする請求項１に記載の機能。
【請求項３】
前記一つ以上の通路は、該一つ以上の通路に配置された少なくとも一つの第一の伝導要素を有することを特徴とする請求項２に記載の機能。
【請求項４】
前記少なくとも一つの第一の伝導要素は、理想の電気的な接触表面を提供する前記一つ以上の通路と一致するために形状化されることを特徴とする請求項３に記載の機能。
【請求項５】
前記一つ以上の通路は、前記少なくとも一つの第一の伝導要素を選択的に囲むために適合されることを特徴とする請求項３に記載の機能。
【請求項６】
前記一つ以上の通路は、前記少なくとも一つの第一の伝導要素と流体が接触することを防ぐ目的で、前記少なくとも一つの第一の伝導要素を選択的に密封するために適合されることを特徴とする請求項５に記載の機能。
【請求項７】
前記少なくとも一つの電子装置は、前記一つ以上の通路で前記少なくとも一つの第一の伝導要素と選択的な電気接触を成すための少なくとも一つの第二の伝導要素を有することを特徴とする請求項５に記載の機能。
【請求項８】
前記少なくとも一つの第二の伝導要素は、前記一つ以上の通路の前記少なくとも一つの第一の伝導要素との前記選択的な電気通信を容易にするために調節可能であることを特徴とする請求項７に記載の機能。
【請求項９】
前記少なくとも一つの第二の伝導要素は、前記摺動トラックに対する前記少なくとも一つの電子装置の選択的な固定を容易にするために調節可能であることを特徴とする請求項８に記載の機能。
【請求項１０】
前記少なくとも一つの第二の伝導要素は、アクチュエータを介して調節可能であることを特徴とする請求項９に記載の機能。
【請求項１１】
前記摺動トラックは、編み操作、接合操作、縫い操作、接着操作、機械的な操作、又はそれら前述の操作の如何なる組み合わせから構成される群の少なくとも一つによって前記衣服に永久的に接続されることを特徴とする請求項１に記載の機能。
【請求項１２】
前記少なくとも一つの電子装置と前記少なくとも一つの第一の伝導要素との間の前記選択的な電気通信を容易にするためのアダプタをさらに有することを特徴とする請求項３に記載の機能。
【請求項１３】
前記少なくとも一つの電子装置は、少なくとも一つの第二の伝導要素を有し、前記アダプタは、前記一つ以上の通路の前記少なくとも一つの第一の伝導要素に前記少なくとも一つの第二の伝導要素が選択的に接続するように適合された少なくとも一つの第三の伝導要素を有することを特徴とする請求項１２に記載の機能。
【請求項１４】
前記一つ以上の通路は、第一及び第二の保護要素を有し、前記第一及び第二の保護要素は、前記一つ以上の通路の密封した保全性を維持するように協同し、同時に、前記アダプタの前記少なくとも一つの第三の伝導要素と前記一つ以上の通路の前記少なくとも一つの第一の伝導要素との間に選択的な電気通信を可能にさせることを特徴とする請求項１３に記載の機能。
【請求項１５】
前記第一及び第二の保護要素は、前記一つ以上の通路と前記アダプタとの間に配置されて、前記第一及び第二の保護要素は、前記一つ以上の通路の前記少なくとも一つの第一の伝導要素が流体と接触することを防ぐ目的で密封されるようにして前記摺動トラックと一致するために形状化されることを特徴とする請求項１４に記載の機能。
【請求項１６】
前記アダプタは、前記少なくとも一つの第三の伝導要素を前記一つ以上の通路の前記少なくとも一つの第一の伝導要素との電気的な接触をさせるために、前記第一及び第二の保護要素を選択的に開閉することを特徴とする請求項１５に記載の機能。
【請求項１７】
前記アダプタは、前記一つ以上の通路の前記密封された保全性が維持される一方で、前記少なくとも一つの第三の伝導要素が前記一つ以上の通路の前記少なくとも一つの第一の伝導要素と電気的に通じているように、前記摺動トラックに沿って選択的に摺動できることを特徴とする請求項１６に記載の機能。
【請求項１８】
衣服に少なくとも一つの電子装置を電気的に接続するための方法であって、該方法は、
少なくとも一つの通路を有する摺動トラックに前記少なくとも一つの電子装置を支持する段階と、
前記少なくとも一つの電子装置と電源との間に選択的な電気通信を可能にする段階とを有することを特徴とする方法。
【請求項１９】
前記摺動トラックに前記少なくとも一つの電子装置を選択的に支持する段階をさらに有し、前記少なくとも一つの電子装置は前記摺動トラック上で摺動するように適合されることを特徴とする請求項１８に記載の方法。
【請求項２０】
前記少なくとも一つの通路内で第一の伝導要素を選択的に囲む段階と、
流体が入り込まないように適合された、前記少なくとも一つの通路内で前記第一の伝導要素を選択的に密封する段階と、
前記少なくとも一つの通路の前記少なくとも一つの第一の伝導要素に対して、前記少なくとも一つの電子装置に配置された少なくとも一つの第二の伝導要素を接触する段階と、をさらに有することを特徴とする請求項１９に記載の方法。
【発明の詳細な説明】
【技術分野】
【０００１】
本発明は、衣料品、着用可能な生地又は衣服で使用するための機能に関する。より詳細には、本発明は、ユーザが着用可能な生地又は衣服に対して、電気的に異なる出力が供給された装置を電気的に接続することを可能にするために適応される機能に関する。
【背景技術】
【０００２】
電気心電図のような着用者の状態をモニターするための電極又は電磁気スクリーニングのための伝導性ファイバーを組込む衣類、生地及び衣服を作成する努力が、以前からなされている。布に縫いつけられたワイヤーか、又は非伝導性の布に縫いつけられた伝導性の布を含むことができる、電気パルスを伝達して受けるための衣服を開示している（例えば、特許文献１参照）。
【０００３】
しかしながら、特許文献１は有用であるが、アドレスに失敗し、着用可能な電子装置を利用する固有の問題と格闘する。着用可能な電子装置における、ある操作上の問題が存在する。それらの操作上の問題は、柔らかい生地と硬い生地との間のインターフェースを含む。例えば、シャツとかさばったコンピューター、又はかさばったセンサー設備との間のこのインターフェースは、衣料品の着用者への不快な結果となる。ジャケット又はシャツの内部へのかさばった製品の取り付けは、着用者に不快さ、切り傷、やけど、打撲傷及び関連する傷をもたらす。さらに、かさばった硬い製品をそこに配置する衣料品の柔軟性の低さに関連した問題がさらに存在する。一般的に、製品の快適さ、柔軟性及び適合性は、ユーザが衣服にかさばって重く柔軟でない電子装置を加える場合に劇的に減少する。
【０００４】
加えて、電子装置と衣料品に統合された回路との間の電気的な接続に関して、操作上の困難さがある。着用者が従事する広範囲の活動が与えられ、雨又は発汗のいずれかは電気的な回路に浸透するかもしれないし、あるいは入り込むかもしれない。流体、発汗及び湿気は、着用可能な衣服の操作を混乱させ、したがって、実際上の実行に関して困難である。加えて、電子装置の不利益な特質から衣服の着用者を保護することは、大きな関心事である。
【特許文献１】米国特許第４，５８０，５７２号
【発明の開示】
【発明が解決しようとする課題】
【０００５】
したがって、衣料品に様々な電子装置を電気的に接続するための機能を提供する必要がある。さらに、様々な電子装置を持ち運ぶための摺動トラックを有する改善された機能が必要であり、その摺動トラックは少なくとも一つの通路を有し、その通路はそこに配置された少なくとも一つの伝導要素を選択的に囲み、その通路は少なくとも一つの伝導要素への選択的なアクセスを可能にする。さらに、快適で柔軟な衣料品に取り付けられた様々な電子装置を持ち運ぶための摺動トラックを有する、改善された機能を必要とする。またさらに、発汗、流体又は湿気が電気的な接続を中断させず、安全で集中的なメンテナンスでない、電源に電子装置を電気的に接続するための改善された機能を必要とする。
【課題を解決するための手段】
【０００６】
衣服に様々な電子装置を電気的に接続するための機能が提供される。その機能は、少なくとも一つの電子装置を嵌合し、摺動可能で支持するための摺動トラックを有する。その摺動トラックは、そこに配置された少なくとも一つの伝導要素を備える一つ以上の通路を有する。少なくとも一つの電子装置と電源との間に選択的な電気通信をさせるように、一つ以上の通路は、一つ以上の伝導要素を選択的に囲むか又は密封する。
【０００７】
本発明の他の目的、利点及び特質は、添付図と共に下記の明細書を参照することによって理解される。添付図で、同様の参照番号は、構成の同様の要素を示す。
【発明を実施するための最良の形態】
【０００８】
図１乃至７を参照するに、衣料品にさまざまな電子装置が電気的に接続するための機能が提供される。その機能は、例えば、診断機器、センサー、モバイルコンピュータ、冷却装置及び移動式電話などの様々な電子装置を持ち運ぶための摺動トラック１０を含む。摺動トラック１０は、球根状の要素である。摺動トラック１０は、ホックとループの物質を介して、衣料品に対して縫われるか、結合するか、接合するか、付着されたか、又は添付される。摺動トラック１０は、衣服に接して配置されるか、付着されてよい、平らな底面を有する。摺動トラック１０は、適切な非伝導性物質から押出し加工されるか、シャツ、パンツ、靴、帽子又はコートなどの衣服に対して切断されるか、又は縫われるかもしれない。本発明の典型的な実施態様において、摺動トラック１０は、ゴムから形成される。摺動トラック１０は、典型的な衣服の外面に配置される上面を有する。摺動トラック１０の上部又は球根上の領域は、複数の通路を有する。本発明の典型的な実施態様において、摺動トラック１０は、２つの下部の通路１２と、２つの上部の通路１４とを有してよい。下部の通路１２と、上部の通路１４は、Ｕ字型のアパーチャのカットアウトとして形成されてよいし、又は摺動トラック１０で押出し加工されてよい。
【０００９】
本発明の典型的な実施態様において、下部の通路１２及び上部の通路１４は、摺動トラック１０の側面のスリットを定義する、曲線から成る端２０を有する。下部の通路１２及び上部の通路１４の典型的な特徴は、下部の通路１２及び上部の通路１４がカプセル化するか、そうでなければ、そこに配置されてよい、銅線、金属でコーティングされたカーボンファイバー、金属ファイバー、ドープされたファイバー、伝導ファイバー、伝導性の有機物質又は伝導性ポリマーなどの少なくとも一つの第一の伝導物質を密封及び／又は絶縁する。この手法において、下部の通路１２及び上部の通路１４は、下部の通路１２及び上部の通路１４に湿気、発汗又は流体が入り込むことを防ぐ。
【００１０】
それぞれの上部の通路１４及び下部の通路１２に、物質５０の縦に長いストリップを形成する少なくとも一つの第一伝導物質が配置される。第一の伝導物質５０の典型的な特質は、第一の伝導物質５０が各それぞれの通路で摺動トラック１０の長さに沿って配置されることである。第一の伝導物質５０は、摺動トラック１０に縫い込まれる。別の典型的な態様において、第一の伝導物質５０は、電気又は光子の粒子を伝導する、如何なる適切な物質であってよい。第一の伝導物質５０は、上部の通路１４及び下部の通路１２の密封及び／又は絶縁の特徴を維持するように、上部の通路１４及び下部の通路１２の如何なる適切な位置に配置してよい。実例となる目的のために、第一の伝導物質５０は、摺動トラック１０の垂直の中心軸に平行な摺動トラック１０のそれぞれの側面壁に配置される。第一の伝導物質５０の別の典型的な特徴は、第一の伝導物質５０が、例えば、電池パック（示されていない）電源に対して電気的に接続されることである。電源（示されていない）は、第一の伝導物質５０に電流を供給するための携帯可能な電池、交流電源、太陽電池、又は如何なる他の適切な電源であってよい。
【００１１】
本発明の典型的な実施態様において、第一の伝導物質５０は衣服に縫い付けられるか、又はそうでなければ、衣服に配置される。第一の伝導物質５０は、衣服の長さにわたって第一の伝導物質５０に発汗、湿気又は如何なる流体が入り込み、接触することを防止する密封を維持するための手法でＵ字型の通路のそれぞれの端２０の間に配置される。第一の伝導物質５０はまた、衣服の着用者を保護するように絶縁される。典型的な絶縁の態様は、電源（示されていない）から第一の伝導物質５０への熱電伝導が、ユーザの身体組織に伝達されないことである。
【００１２】
図１を参照するに、典型的な衣服に張り付けられてよい、典型的な取り付け可能な携帯型電子装置１００が示される。電子装置１００は長方形の装置として例示されるが、しかしながら、電子装置１００が如何なる適切な形状及びサイズとなってよいことを当業者は認識するであろう。電子装置１００の典型的な特徴は、電子装置１００が、電子装置１００の側面に配置された長方形のボタン１０５にバイアスされた複数のバネを有する。複数の第二の伝導要素１１０及び１１５がボタンに接続される。第二の伝導要素１１０及び１１５は、長方形の円筒状の構造として示されるが、しかし、第二の伝導要素１１０及び１１５は、上部の通路１４及び下部の通路１２のそれぞれに第二の伝導要素１１０及び１１５を合致させるように如何なる適切な形状及びサイズであってよい。第二の伝導要素１１０及び１１５の典型的な特徴は、第二の伝導要素１１０及び１１５がそれぞれの端２０、絶縁体及び／密封並びにインターフェースを通って突出するか、そうでなければ、電子装置１００への電源を提供するように、少なくとも一つの第一の伝導要素５０と合致する。第二の伝導要素１１０及び１１５が、例えば、銅線、金属、伝導ポリマー、金属でコーティングされたカーボンファイバー、ドープされたファイバー、金属ファイバー、ワイヤー、又はこれらの如何なる組み合わせなどの如何なる適切な電気的に伝導性の物質から成されることを当業者は認識するべきである。複数のバネ要素１２０は、第二の伝導要素１１０及び１１５の長さに沿って配置される。しかしながら、第二の伝導要素１１０及び１１５をバイアスするための如何なる他の適切な方法が活用されてよく、本発明に組み込まれてよい。
【００１３】
図２を参照して、図面から理解できるように、第一の伝導要素５０から電力を受ける電子装置１００を備える摺動トラック１０が示される。本発明の典型的な実施態様において、電子装置１００は地面との接続のための接触１５０を有する。接触１５０は電子装置１００の内部に配置されるが、しかしながら、接触１５０が電子装置１００のアースのために電子装置１００の如何なる適切な位置に配置してよいことが認識されるべきである。ユーザは、電子装置１００の外面の少なくとも一つ又は両ボタン１０５に軸の力を与えることによりボタン１０５を押し下げてもよいことが当業者によって認識されるべきである。この手法において、第二の伝導要素１１０及び１１５は摺動トラック１０に向かう方向で横に延在する。第二の伝導要素１１０及び１１５が通路端２０、絶縁体及び／又は密封を通過して突出して且つ接触し、そうでなければ少なくとも一つの第一の伝導要素５０と通じることを当業者は理解するべきである。この手法において、移動式電源（示されていない）からの出力は、第一の伝導要素５０より第二の伝導要素１１０及び１１５に導かれる。
【００１４】
本発明の例示された実施態様において、第二の伝導要素１１０及び１１５は接触し、電子装置１００を作動するように電子装置１００に電源を供給する。本発明の典型的な実施態様において、電子装置１００は、コンピューター装置、半導体、着用者の身体の様相をモニターするためのセンサー、移動式電話、移動式情報インフラ、又は衣服に張り付けられてよく、且つ着用者とユーザに有利な特質を加える、如何なる他の適切な携帯型電子装置などの電力を活用する、如何なる適切な製品１００であってよい。
【００１５】
図３及び図４を参照するに、例示の目的だけの本発明の典型的な実施態様の上面図及び側断面図がそれぞれ提供される。添付図から理解できるように、摺動トラック１０は、編み操作４０によって衣服に縫われる。しかしながら、衣服に摺動トラック１０を張り付けるための如何なる周知の方法は、例えば、接着剤、ホックとループ操作及び／又は接合を含んで活用されてよい。さらに図３から理解できるように、電子装置１００は、電子装置１００の外部の側面から外側に向かって延在し突出するボタン１０５を有する。また、ボタン１０５は、第二の伝導要素１１０及び１１５を第一通路１４及び第二通路１２のそれぞれのペアと合致させるために電子装置１００に配置される如何なる適切な場所に位置してよいことを認識するべきである。ボタン１０５は、第二の伝導要素１１０及び１１５のそれぞれのペアを第一の伝導要素５０と接続させ、第一の伝導要素５０から第二の伝導要素１１０及び１１５への電力を操作上の目的の電子装置１００に移動する。
【００１６】
電子装置１００は、短絡又は出力の中断がなく、摺動トラック１０の第一の伝導要素５０と実質的に平行な関係で衣服表面を上下に垂直に摺動、滑走、そうでなければ横断するかもしれないことが当業者によって認識されるべきである。摺動トラック１０の典型的な態様は、それぞれの第一通路１４とそれぞれの第二通路１２の密封及び／又は絶縁体が電子装置１００の動きを摺動することによって妨害されないことである。それぞれの第一通路１４とそれぞれの第二通路１２は、第一の伝導物質５０から電子装置１００への出力の移動を妨害するように発汗、流体又は湿気がそれぞれの第一通路１４とそれぞれの第二通路１２に如何なる場合でも入り込まないようにして組立てられる。
【００１７】
図５を参照するに、本発明の別の典型的な実施態様の断面図が提供される。アダプタ３１０又は中間要素が提供される。アダプタ３１０は、長方形の構造として形成されてよい。多数の第三の伝導要素３２０がアダプタ３１０の底部の側面に配置される。ストリップ２００はまた、ストリップ２００の上部に配置された第一の保護要素３００と第二の保護要素３０５を含んでよい。第一の保護要素３００と第二の保護要素３０５の典型的な態様は、第一の保護要素３００と第二の保護要素３０５のそれぞれが覆い、ストリップ２００内に位置する第一の伝導要素５０に密封及び／又は絶縁体を提供する。
【００１８】
本発明の典型的な実施態様において、多数の第三の伝導要素３２０は、アダプタ３１０の底部の側面に配置される。如何なる数の第三の伝導要素３２０が、適切な出力量をアダプタ３１０により典型的な電子装置（示されていない）に転送するために使用してよいことを当業者は認識するべきである。第三の伝導要素３２０は、典型的な電子装置（示されていない）に対して出力を提供するために第一の伝導要素５０と接続する。第一の伝導要素５０は、柔軟なストリップ２００の如何なる適切な位置に配置されてよい。ストリップ２００は、第一の伝導要素５０を収容する、熱的に非伝導で、電気的に伝導の長方形の形状であってよい。
【００１９】
第一の伝導要素５０が、第一の保護要素３００及び第二の保護要素３０５と隣接して、一定間隔で配置された関係であることが、第一の伝導要素５０の典型的な特徴である。第一の保護要素３００と第二の保護要素３０５は、密封及び絶縁体として作用するために互いに合致する。この手法において、第一の保護要素３００及び第二の保護要素３０５は、湿気、発汗及び／又は流体が入り込むことを防ぎ、且つストリップ２００に配置された第一の伝導要素５０による出力の流れを妨害することを防ぐ。第一の保護要素３００及び第二の保護要素３０５の典型的な特徴は、第一の保護要素３００及び第二の保護要素３０５のそれぞれが実質的に長方形の形状であることである。第一の保護要素３００及び第二の保護要素３０５のそれぞれは、その間に配置されて、互いに関して第一の保護要素３００及び第二の保護要素３０５のそれぞれを接続させる雄要素及び雌要素を有する接合点を含む。第一の保護要素３００及び第二の保護要素３０５のそれぞれは、第一の伝導要素５０を収容するストリップ２００に対して選択的に取り付けされる。第一の保護要素３００及び第二の保護要素３０５のそれぞれは、ストリップ２００から外側に向かって延在し、アダプタ３１０に配置された一対のアーチ型の通路１２０、１３０内で適合するよう適切な幅である。
【００２０】
ストリップ２００が衣服に対して接続されるか、そうでなければ縫われてよいことは当業者によって認識されるべきである。多数の第三の伝導要素３２０は、アダプタ１０の上面に配置された典型的なソケット又はインターフェース２０５に対するワイヤーによって、アダプタ１０により電気的に接続される。アダプタ１０の上面は、典型的な電子装置に配置された複数の第二の伝導要素のそれぞれ（示されていない）をソケット２０５と接続させるためのアパーチャ２１０を含み、よって、電子装置がアダプタ３１０の上部に配置される場合、電子装置は出力を受けてよい。
【００２１】
図６を参照するに、本発明の上面図が提供される。添付図から理解できるように、第一通路１２０と第二通路１３０のそれぞれは、曲線から成る形状である。第一通路１２０及び第二通路１３０は、第一の保護要素３００及び第二の保護要素３０５を互いに関して離れて分けて、そこを通って通過させる。この手法において、典型的な電子装置１００は、衣服に配置された横断するストリップ２００であってよい。さらに添付図から理解されるように、電子装置は、アダプタ３１０の上面のソケット２１０に配置されてよい。ストリップ２００は、温度的にも電気的にも非伝導性の適切な物質から成される。ストリップ２００は、典型的な衣服に対して、編み操作によって取り付けられてよい。
【００２２】
図７を参照するに、アダプタ３１０の線Ａ−Ａに沿った断面図が提供される。添付図から理解できるように、ストリップ２００は、ストリップ２００の上面に配置された、それぞれの第一の保護要素３００及び第二の保護要素３０５を有する。この手法において、第一の保護要素３００及び第二の保護要素３０５は離れて分かれる。第一の保護要素３００及び第二の保護要素３０５は、アダプタ３１０がストリップ２００を横断するように曲線から成る手法で第一通路１２０と第二通路１３０のそれぞれを通過する。線Ａ−Ａに沿って、第一通路１２０及び第二通路１３０は、単独の一体になった通路を形成するために交差する。アダプタ３１０がストリップ２００の一部にわたって通過した後、曲線から成る通路１２０、１３０は、図７に示されるように第二の保護要素３０５と合致するために第一の保護要素３００を導く。第一の保護要素３００は図７に示されるように第二の保護要素３０５と合致し、それによって、ストリップ２００は、そこに配置されたそれぞれの少なくとも一つの第一の伝導要素５０を密封しカプセル化させる。図７に示されるような閉じた位置の第一の保護要素３００及び第二の保護要素３０５が、湿気、発汗及び流体をそこに入り込むことを防ぐために適切であり、中断されない出力が電源（示されていない）から典型的な電子装置１００に移動されてよいことを当業者は認識するべきである。
【００２３】
したがって、本発明はその好ましい形態に関して特に記載されているが、請求項に定義される本発明の趣旨及び範囲を逸脱しない限り、様々な変更及び修正が成されてよいことが明らかである。
【図面の簡単な説明】
【００２４】
【図１】開口位置でコンダクタを備える本発明の衣料品に様々な電子装置を電気的に接続するための機能の断面図である。
【図２】閉じた位置でコンダクタを備える本発明の衣料品に様々な電子装置を電気的に接続するための機能の断面図である。
【図３】衣料品に様々な電子装置を電気的に接続するための機能の上面図である。
【図４】衣料品に様々な電子装置を電気的に接続するための機能の側面図である。
【図５】衣料品に様々な電子装置を電気的に接続するための機能の別の典型的な実施態様の断面図である。
【図６】図５の機能の上面図である。
【図７】図５の線Ａ−Ａに沿った機能の断面図である。
【図１】
2005531696.tif 000003
【図２】
2005531696.tif 000004
【図３】
2005531696.tif 000005
【図４】
2005531696.tif 000006
【図５】
2005531696.tif 000007
【図６】
2005531696.tif 000008
【図７】
2005531696.tif 000009
【国際調査報告】
2005531696.tif 000010
2005531696.tif 000011
2005531696.tif 000012